(57)【特許請求の範囲】
【請求項１】
防水基礎面のためのシート防水構造であって、
前記防水基礎面の上に間隔を置いて配置された複数の防水シートであって隣接する２つのうち一方の防水シートが、第１ゴム系アスファルト層と、該第１ゴム系アスファルト層を挟む第１上部不織布層及び第１下部不織布層とからなり、他方の防水シートが、第２ゴム系アスファルト層と、該第２ゴム系アスファルト層を挟む第２上部不織布層及び第２下部不織布層とからなる複数の防水シートと、
前記第１上部不織布層の端部、前記第２上部不織布層の端部、前記一方の防水シートの側面、前記他方の防水シートの側面及び前記一方の防水シートと前記他方の防水シートとの間における前記防水基礎面に塗布されたアクリル系水溶性プライマー組成物と、
該プライマー組成物の上に提供され、前記プライマー組成物に受け入れられた塗膜防水材層とを含み、
前記防水シートは、該防水シートの端部上に一部が露出し、前記ゴム化アスファルト層の端部の上部または下部に他部が埋め込まれたメッシュ状の織布からなる継ぎ手部を含む、シート防水構造。
【請求項２】
防水基礎面のためのシート防水工法であって、
前記防水基礎面の上に、間隔を置かれた複数の防水シートであって隣接する２つのうち一方の防水シートが、第１ゴム系アスファルト層と、該第１ゴム系アスファルト層を挟む第１上部不織布層及び第１下部不織布層とからなり、他方の防水シートが、第２ゴム系アスファルト層と、該第２ゴム系アスファルト層を挟む第２上部不織布層及び第２下部不織布層とからなる複数の防水シートを配置すること、
前記第１上部不織布層の端部、前記第２上部不織布層の端部、前記一方の防水シートの側面、前記他方の防水シートの側面及び前記一方の防水シートと前記他方の防水シートとの間における前記防水基礎面にアクリル系水溶性プライマー組成物を塗布すること、
前記プライマー組成物が硬化した後、その上に塗膜防水材を、該塗膜防水材が前記プライマー組成物に受け入れられるように供給すること、
必要に応じて、前記シート防水構造上にトップコーティング材を塗布することを含み、
前記防水シートは、該防水シートの端部上に一部が露出し、前記ゴム化アスファルト層の端部の上部または下部に他部が埋め込まれたメッシュ状の織布からなる継ぎ手部を含む、シート防水工法。
【請求項３】
前記プライマー組成物は、手動で、あるいはローラーを備えた供給装置によって連続的に提供する、請求項２に記載のシート防水工法。
【請求項４】
前記防水基礎面上に前記防水シートを配置するに先立ち、前記防水基礎面上にプライマー層を塗布する、請求項２に記載のシート防水工法。
【発明の詳細な説明】
【技術分野】
【０００１】
本発明は一般の建築物や屋上の床などの建築構造物及び地下外壁、トンネル、地下駐車場などの地下構造物の防水に使用されるシートを利用した防水構造及び工法に係り、より詳しくは隣接する防水シート間の結合を堅くするために、前記防水シート間にプライマー組成物を塗布した後、その上に塗膜防水材を提供して、前記防水シートの一体結合性及び優れた水密性を確保し、簡単な施工過程で作業性及び経済性を著しく改善するシート防水構造及び防水工法に関するものである。
【背景技術】
【０００２】
建築構造物に対する防水工法として、シート防水は、一般に、合成ゴムや合成樹脂のような合成高分子系またはゴム化アスファルトなどを主原料とし、通常０．８〜３．０ｍｍの幅及び長さを有する防水シートを連続して配置することで防水効果を得るためのもので、外部の変化する気候条件によく適応し、現場で簡便に施工できるという利点を有する。
【０００３】
しかし、隣接する防水シート間の隙間に欠陷がある場合、漏水、浸水のような防水性能の低下はもちろん、連結部が浮き上がるか分離するなどの構造的問題が発生するから、これら問題の解決がシート防水の品質を決定するキーになった。
【０００４】
前記防水シート間の継ぎ手部を結合させるために、前記防水シートの継ぎ手部を重ねた後、トーチランプなどで溶融させて付着させる方法が使用された。しかし、継ぎ手部に対するトーチランプの過熱あるいは不完全な加熱によって漏水発生の原因になることもあり、ただシート防水材の自体接着のみによって、プライマーが塗布された下部と接着することによって、コンクリート面と防水層間の浮き上がり現象が発生し、後に欠陥が発生する時、漏水部位を探すことが容易でないという問題点があった。
【０００５】
したがって、シート間の隙間に塗膜防水材を提供するか、シートに一体に結合された継ぎ手部を形成して前記シート間を連結して堅く結合する方法などが試みされた。
【０００６】
一方、塗膜防水は、合成ゴムまたは合成樹脂及び硬化剤を混合して床層に密着して塗布することで形成された塗膜によって防水効果を得ようとしたもので、衝撃抵抗性及び摩耗抵抗性は優秀であり、前記シート防水のようなシートの連結部処理による欠陥発生の問題はないが、外部振動に対する吸水性が十分でなく浮き上がり現象が起こることができるという問題があった。
【０００７】
したがって、最近にはシート防水と塗膜防水の問題点を克服し、長所を最大化するために、両防水工法を複合的に適用した全面塗布式または部分絶縁式複合防水工法が開発された。
【０００８】
まず、全面塗布式複合防水工法として、防水シートを利用した複合防水工法がある（特許文献１参照）。前記複合防水工法は、下からアスファルトプライマー層、塗膜防水材層、ゴム化アスファルト層を挟んだ上下の不織布層からなる防水シート、及び押しコンクリート層を順に塗布することを含む。前記複合防水工法では、前記防水シートの前記不織布層の端部または両端を５〜１０ｃｍだけ伸ばして不織布継ぎ手部を形成し、隣り合う同一構成の防水シートから２〜１５ｍｍの間隔を置いて接合するにおいて、前記防水シート間に前記塗膜防水材と同じ材質の隙間塗膜防水材を供給して塗布しながら、前記不織布継ぎ手部の一部を前記防水シートの前記不織布層と重畳して接合させる。
【特許文献１】大韓民国特許第４４４９０７号公報
【０００９】
また、防水シート及び塗膜防水材を利用した複合防水層を基礎面に接着させるにあたって、部分絶縁接着方式を用いて、応力集中による防水層の亀裂及び防水シートの接着力弱化によった浮き上がり現象を防止し、複合防水層全体の挙動対応性、衝撃抵抗性及び振動吸水性を改善するために部分絶縁式複合防水工法が開発された（特許文献２参照）。前記部分絶縁式複合防水工法は、建築構造物の基礎面上にプライマーを塗布し、ゴム化アスファルト層を挟む上部不織布層及び下部不織布層からなる複数枚の防水シートを隣接して配置するにあたって、前記防水シートの前記下部不織布層の端部を５〜１０ｃｍだけ伸ばして不織布継ぎ手部を形成し、前記不織布継ぎ手部の下に部分絶縁塗膜防水材を１０〜２０ｃｍの幅で塗布し、前記不織布継ぎ手部を前記部分絶縁塗膜防水材上に付着し、前記防水シートと同一構成の防水シートを前記防水シートから０．２〜３．０ｃｍの間隔で接合し、前記不織布継ぎ手部の一部を前記防水シートの前記下部不織布層と重畳して接合させ、前記防水シート間に前記部分絶縁塗膜防水材と同じ材質の隙間塗膜防水材を提供し、前記防水シートの前記上部不織布層間の前記間隔上に５〜１５ｃｍの幅だけ前記隙間塗膜防水材を塗布し、その上に押しコンクリートを塗布することを含む。
【特許文献２】大韓民国特許第４９９７４８号公報
【００１０】
これら複合防水工法は、従来のシート防水及び塗膜防水が有する問題点を克服するために、防水シートとしてゴム化アスファルト層を挟む上部不織布層及び下部不織布層から構成され、前記上部不織布層または前記下部不織布層の端部を伸ばして不織布継ぎ手部を形成したものを使用し、防水シートの下部及び防水シート間の連結部には同じ材質の塗膜防水材を提供することで、塗膜と防水シートを一体に結合して全体防水構造の水密性を確保することに寄与した。
【００１１】
しかし、前記の複合防水工法による場合、防水シート間の連結部に提供された塗膜防水材が防水シートの上下不織布層間を構成するゴム化アスファルトを部分的に溶解させることにより、ゴム化アスファルトの物性がゲル化してべたつくことになるなど、劣化することにより、ゴム化アスファルトと塗膜防水材が分離され、防水欠陥が発生する問題点が提起された。
【００１２】
このような現象は、塗膜防水材が溶剤タイプの場合にもっと著しく、無溶剤タイプの場合にも、作業現場で流動性及び作業性の改善のために使用されるシンナーによってゴム化アスファルトが溶解する。
【発明の開示】
【発明が解決しようとする課題】
【００１３】
本発明は、前述したような問題点を克服するシート防水構造及び工法を提供する。
【００１４】
本発明の目的は、隣接する防水シート間にプライマー組成物を塗布し、その上に塗膜防水材を提供することにより、塗膜防水材が防水シートのゴム化アスファルトを溶解させることによって発生した従来技術の問題点を克服するようにしたシート防水構造及び防水工法を提供することである。
【００１５】
本発明のさらに他の目的は、従来の複合防水工法のように、防水シートの外に塗膜防水材層を別に提供し、防水シート間に塗膜防水材を直接適用する代わり、防水基礎面上に塗布されたプライマー組成物を防水シート間に提供し、前記プライマー層の上部にだけ塗膜防水材を提供することにより、簡単な防水構造及び施工作業で作業性及び経済性を改善するようにしたシート防水構造及び防水工法を提供することである。
【課題を解決するための手段】
【００１６】
前記目的を達成するための本発明に係る、防水基礎面のためのシート防水構造は、前記防水基礎面の上に間隔を置いて配置された複数の防水シートであって隣接する２つのうち一方の防水シートが、第１ゴム系アスファルト層と、該第１ゴム系アスファルト層を挟む第１上部不織布層及び第１下部不織布層とからなり、他方の防水シートが、第２ゴム系アスファルト層と、該第２ゴム系アスファルト層を挟む第２上部不織布層及び第２下部不織布層とからなる複数の防水シートと、前記第１上部不織布層の端部、前記第２上部不織布層の端部、前記一方の防水シートの側面、前記他方の防水シートの側面及び前記一方の防水シートと前記他方の防水シートとの間における前記防水基礎面に塗布されたアクリル系水溶性プライマー組成物と、該プライマー組成物の上に提供され、前記プライマー組成物に受け入れられた塗膜防水材層とを含む。
【００１７】
前記プライマー組成物は水溶性タイプで、多種のモノマーを重合した高分子物質を水中に乳化させたエマルジョン状態の組成物を意味する。具体的に、本発明では、アクリル系水溶性プライマー組成物を使用し、より具体的な組成例は、スチレンモノマー２〜５重量％、メチルメタクリレート（ＭＭＡ）２５〜３５重量％、２−ヒドロキシルエエチルアクリレート（２−ＨＥＡ）２５〜３５重量％、及び残量の水とすることができる。このような水溶性プライマー組成物は防水シートのゴム化アスファルトを溶解させなく、防水シート間の隙間に塗布することで、その上に提供される塗膜防水材が防水シートのゴム化アスファルトと接触する面積を完全に遮断することにより、塗膜防水材の物性による防水シートの損傷や劣化を防止することができる。
【００１８】
前記プライマー組成物は防水シート間の隙間に手動で提供することもできるが、ローラーを備えた供給装置によって連続的に提供することが望ましい。
【００１９】
前記塗膜防水材としては、無溶剤ウレタンなどの任意の塗膜防水材を使用することができる。
【００２０】
前記プライマー組成物と塗膜防水材は、前記防水シートのそれぞれの前記上部不織布層上の前記対向端部にそれぞれ３〜１０ｃｍほど塗布されることが望ましい。
【００２１】
また、前記防水基礎面上に防水シートを配置するに先立ち、防水基礎面上にプライマー層を塗布することができる。
【００２２】
前記のような本発明のシート防水構造において、プライマー組成物と塗膜防水材が提供される防水シート間の隙間を除き、防水シート自体の底面、すなわち防水基礎面上には塗膜防水材を提供せず、直ちに防水シートの下部不織布層が配置されるので、全体防水構造に対して部分絶縁の効果を自然に達成することができる。
【００２３】
前記防水シートは、前記防水シート間の結合を堅くするために、前記防水シートの端部上に一部が露出し、前記ゴム化アスファルト層の端部の上部または下部に他部が埋め込まれたメッシュ状の織布または不織布からなる継ぎ手部を備えるものとすることができる。
【００２４】
すなわち、前記防水シート間の継ぎ手部にメッシュ状の織布または不織布からなる継ぎ手部を提供することにより、メッシュ状の織布または不織布にプライマー組成物及び塗膜防水材を含浸させるものであり、これにより、隣接する防水シートをさらに堅く接合することができる。
【００２５】
前記メッシュ状の織布は、不織布より空隙が大きいガラス纎維織布、ポリエチレン網、ポリプロピレン網などを使用することができ、前記不織布は、空隙を人為的に大きく形成した、パンチングされた不織布とすることができる。
【００２６】
一方、本発明に係る、防水基礎面のためのシート防水工法は、前記防水基礎面の上に、間隔を置かれた複数の防水シートであって隣接する２つのうち一方の防水シートが、第１ゴム系アスファルト層と、該第１ゴム系アスファルト層を挟む第１上部不織布層及び第１下部不織布層とからなり、他方の防水シートが、第２ゴム系アスファルト層と、該第２ゴム系アスファルト層を挟む第２上部不織布層及び第２下部不織布層とからなる複数の防水シートを配置すること、前記第１上部不織布層の端部、前記第２上部不織布層の端部、前記一方の防水シートの側面、前記他方の防水シートの側面及び前記一方の防水シートと前記他方の防水シートとの間における前記防水基礎面にアクリル系水溶性プライマー組成物を塗布すること、前記プライマー組成物が硬化した後、その上に塗膜防水材を、該塗膜防水材が前記プライマー組成物に受け入れられるように供給すること、必要に応じて、前記シート防水構造上にトップコーティング材を塗布することを含む。
【００２７】
このような本発明のシート防水工法は、従来の複合防水工法と同様に、防水基礎面上にプライマー層を塗布し、その上に塗膜防水層を全面塗布式または部分絶縁式で形成した後、防水シートを配置し、ついで前記防水シート間の継ぎ手部を処理する過程を単純化することにより、ただ防水基礎面上に複数枚の防水シートを配列し、前記防水シート間にプライマー層を塗布した後、その上に塗膜防水材を塗布するだけで良いので、施工がかなり簡便で容易になり、作業性及び経済性を格段に改善することができる。さらに、従来技術による場合、塗膜防水材が防水シートのゴム化アスファルトを溶解させることによって発生した問題点を構造的に全く克服することにより、防水効果面では一層優れた結果を得ることができる。
【発明の効果】
【００２８】
前述したように、本発明によれば、隣接する防水シート間にプライマー組成物を塗布し、その上に塗膜防水材を提供することにより、塗膜防水材が防水シートのゴム化アスファルトを溶解させることによって発生した従来技術の問題点を克服することができる。
【００２９】
また、本発明によれば、従来の複合防水工法のように、防水シートの外に、塗膜防水材層を別に提供し、防水シート間に塗膜防水材を直接適用する代わり、防水基礎面上に塗布されたプライマー組成物を防水シート間に提供して前記プライマー層の上部にだけ塗膜防水材を提供することにより、簡単な防水構造及び施工作業で作業性及び経済性を改善することができる。
【発明を実施するための最良の形態】
【００３０】
以下、添付図面に基づいて本発明をより具体的に説明する。
【００３１】
図１は本発明の一実施例による防水構造を断面図として示す。
【００３２】
本発明のシート防水構造は、ゴム化アスファルト層１３を挟む上部不織布層１１及び下部不織布層１２からなる複数枚の防水シート１０と、該防水シートのそれぞれの上部不織布層１１の対向端部、防水シート１０の対向側面、及び防水シート１０間の隙間の下部に塗布される水溶性プライマー組成物２０と、該プライマー組成物の上部に提供される塗膜防水材層３０とを含む。
【００３３】
このようなシート防水構造を形成するためには、まず防水基礎面４０上に防水シート１０を０．２〜５．０ｃｍの間隔で隣接して配置する。
【００３４】
ついで、防水シート１０のそれぞれの上部不織布層１１の対向端部、防水シート１０の対向側面、及び防水シート１０間の隙間の下部に水溶性プライマー組成物２０を供給して塗布する。この際に、ローラーを備える供給装置を利用すれば、防水シート１０間の隙間に連続して便利にプライマー組成物２０を塗布することができる。
【００３５】
ついで、プライマー組成物２０が硬化した後、その上に塗膜防水材３０を供給すれば、本発明のシート防水構造が得られる。
【００３６】
必要に応じて、前記シート防水構造上にトップコーティング材を塗布して仕上げ作業を行うことができる。
【００３７】
本発明の他の実施例を示す図２では、隣り合う二枚の防水シートが連結されている。
【００３８】
この実施例による防水シート構造は、防水シート１０がゴム化アスファルト層１３を挟む上部不織布層１１及び下部不織布層１２だけでなく、防水シート１０の端部上に一部が露出し、ゴム化アスファルト層１３の端部の上部に他部が埋め込まれたメッシュ状の織布または不織布からなる継ぎ手部１４を含む点を除き、図１に示した例と同様である。
【００３９】
継ぎ手部１４はメッシュ状になっているから、プライマー組成物２０及び塗膜防水材３０は継ぎ手部１４を円滑に通過して防水シート１０間に提供できる。
【００４０】
また、図３に示す防水シート１０は、ゴム化アスファルト層１３を挟む上部不織布層１１及び下部不織布層１２と、防水シート１０の端部上に一部が露出し、ゴム化アスファルト層１３の端部の下部に他部が埋め込まれたメッシュ状の織布または不織布からなる継ぎ手部１４とを含む点で前記実施例とは違い、その他の防水シート構造及び工法は図１または図２に示した例と同様である。
【００４１】
本発明は、一般の建築物や屋上の床などの建築構造物及び地下外壁、トンネル、地下駐車場などの地下構造物の防水に使用されるシートを利用した防水構造及び工法に適用可能である。
【図面の簡単な説明】
【００４２】
【図１】本発明の一実施例によるシート防水構造を示す断面図。
【図２】本発明の他の実施例による防水構造を示す断面図。
【図３】本発明のさらに他の実施例による防水構造を示す断面図。
【符号の説明】
【００４３】
１０    防水シート
１１    上部不織布層
１２    下部不織布層
１４    継ぎ手部
２０    プライマー組成物
３０    塗膜防水材層
４０    防水基礎面
【図１】
0004589344.tif 000002
【図２】
0004589344.tif 000003
【図３】
0004589344.tif 000004